(57)【要約】【課題】携帯端末を必要に応じて簡単に保持することが可能な携帯端末保持機能付きのドリンクホルダーを提供する。【解決手段】フロントパネル(42)を手前に倒すと、フロントパネル(42)の鍔(48b)がアッパーアーム(44)と当接して、アッパーアーム(44)をフロントパネル(42)と一緒に回転させ、これを自動的に使用位置に送り出す。フロントパネル(42)が下に倒れた状態では、アンダーアーム(46)がフロントパネル(42)に対して傾斜した状態となるので、アンダーアーム(46)の重心位置は、フロントパネル(42)との回動部（枢支軸(46c)）から手前（外側）にずれた位置となる。したがって、アンダーアーム(46)には、その自重により、フロントパネル(42)との回動部（枢支軸(46c)）を回転軸としてこれを回転させる方向の力が加わり、アンダーアーム(46)が自動的に回転して使用位置に送り出される。【選択図】図２
2014151800.tif 000002
【特許請求の範囲】
【請求項１】
飲料容器を収容する飲料容器収容部と、携帯端末を保持する携帯端末保持部とを備えるドリンクホルダーであって、
前記携帯端末保持部は、
前記飲料容器収容部の前面側にて、その幅方向に沿って延びる枢着軸に起倒可能に取り付けられたフロントパネルと、
その取付基部が前記枢着軸に回転可能に取り付けられ、前記取付基部から内側に向けて略Ｌ字状に屈曲したアーム部が前記フロントパネルと前記飲料容器収容部との間に配設されたアッパーアームと、
前記フロントパネルの前記アッパーアームが設けられているのとは反対側の自由端側にて回転可能に取り付けられたアンダーアームとを備えており、
前記フロントパネルには、その自由端側を上方位置から下方位置へと倒す際に、その途中で前記アッパーアームと当接して前記アッパーアームを回転させる鍔が形成されており、
前記アンダーアームは、これを前記フロントパネル側へ起こした時に前記アンダーアームと前記フロントパネルとの間に隙間が形成されるよう、その先端部が前記フロントパネル側に屈曲して形成されている」ことを特徴とするドリンクホルダー。
【請求項２】
前記フロントパネルの、前記アッパーアームの枢着部分と前記アッパーアームの取付基部の対向面に、前記アッパーアームの水平位置から下方位置までの回転を係脱制御する突起と、前記突起が係脱する凹凸部がそれぞれ形成されていることを特徴とする請求項１に記載のドリンクホルダー。
【請求項３】
前記フロントパネルの、前記アッパーアームの枢着部分と前記アッパーアームの取付基部の対向面に、前記アッパーアームの水平位置から下方位置までの回転を摩擦制御する突起と、前記突起が押圧する摩擦部が形成されていることを特徴とする請求項１に記載のドリンクホルダ。
【発明の詳細な説明】
【技術分野】
【０００１】
本発明は、携帯端末保持機能を有するドリンクホルダーの改良に関する。
【背景技術】
【０００２】
この種のドリンクホルダーの一例として、スマートフォンや携帯電話といった携帯端末を保持する携帯端末保持部を、飲料容器収容部の前面部分に設けるようにしたドリンクホルダーが知られている（特許文献１参照）。
【０００３】
この従来のドリンクホルダーによれば、ドリンクホルダー１つで飲料容器と携帯端末の２種類の物品を同時に保持できるので、狭い車室内を有効に利用できる。
【先行技術文献】
【特許文献】
【０００４】
【特許文献１】特開平１０−１６６２９号公報（図３）
【発明の概要】
【発明が解決しようとする課題】
【０００５】
従来のドリンクホルダーにおいては、飲料容器収容部の前面側に形成されている携帯端末保持部が常に現れていたため、携帯端末保持部の不使用時には、その存在が邪魔で目障りになるという問題があった。
【０００６】
本発明は、かかる従来の問題に鑑みてなされたもので、携帯端末保持部を必要に応じて使用することが可能な携帯端末保持機能付きのドリンクホルダーを提供する。
【課題を解決するための手段】
【０００７】
請求項１に記載した発明は、「飲料容器(B)を収容する飲料容器収容部(12)と、携帯端末(M)を保持する携帯端末保持部(14)とを備えるドリンクホルダー(10)であって、
携帯端末保持部(14)は、
飲料容器収容部(12)の前面側にて、その幅方向に沿って延びる枢着軸(30)に起倒可能に取り付けられたフロントパネル(42)と、
その取付基部(44a)が前記枢着軸(30)に回転可能に取り付けられ、取付基部(44a)から内側に向けて略Ｌ字状に屈曲したアーム部(44b)がフロントパネル(42)と飲料容器収容部(12)との間に配設されたアッパーアーム(44)と、
フロントパネル(42)のアッパーアーム(44)が設けられているのとは反対側の自由端側にて回転可能に取り付けられたアンダーアーム(46)とを備えており、
フロントパネル(42)には、その自由端側を上方位置から下方位置へと倒す際に、その途中でアッパーアーム(44)と当接して、フロントパネル(42)の内側に収納され、枢着軸(30)を中心に立設しているアッパーアーム(44)を水平方向に回転させる鍔(48b)が形成されており、
アンダーアーム(46)は、これをフロントパネル(42)側へ起こした時にアンダーアーム(46)とフロントパネル(42)との間に隙間(S)が形成されるよう、その先端部(46b)がフロントパネル(42)側に屈曲して形成されている」ことを特徴とするドリンクホルダー(10)である。
【０００８】
請求項２に記載の発明は、請求項１のドリンクホルダー(10)において、「フロントパネル(42)の、アッパーアーム(44)の枢着部分とアッパーアーム(44)の取付基部(44a)の対向面に、アッパーアーム(44)の水平位置から下方位置までの回転を係脱制御する突起(32)と、突起(32)が係脱する凹凸部(44g)がそれぞれ形成されている」ことを特徴とする。
【０００９】
請求項３に記載の発明は、請求項１のドリンクホルダー(10)において、「フロントパネル(42)の、アッパーアーム(44)の枢着部分とアッパーアーム(44)の取付基部(44a)の対向面に、アッパーアーム(44)の水平位置から下方位置までの回転を摩擦制御する突起(32)と、突起(32)が押圧する摩擦部(44h)が形成されている」ことを特徴とするである。
【発明の効果】
【００１０】
請求項１に記載の発明では、携帯端末保持部(14)のフロントパネル(42)、アッパーアーム(44)およびアンダーアーム(46)によって囲まれた空間が携帯端末を保持する携帯端末保持空間(Y)となる。
【００１１】
ここで、フロントパネル(42)を手前に倒すと、フロントパネル(42)の鍔(48b)がアッパーアーム(44)に当接して、アッパーアーム(44)をフロントパネル(42)と一緒に回転させ、これを自動的に使用位置に送り出す。
【００１２】
また、フロントパネル(42)を手前に倒す時点では、アンダーアーム(46)の先端部(46b)はフロントパネル(42)に接触している。フロントパネル(42)を下に倒して飲料容器収容部(12)から垂下した状態となった時、アンダーアーム(46)はアンダーアーム(46)の上端部分とフロントパネル(42)との間に隙間(S)が形成されるよう、その先端部(46b)がフロントパネル(42)側に屈曲して形成されているので、アンダーアーム(46)がフロントパネル(42)に対して傾斜した状態となる。このとき、アンダーアーム(46)の重心位置は、フロントパネル(42)との回動部（枢支軸(46c)）から手前（外側）にずれた位置となるので、アンダーアーム(46)には、その自重により、フロントパネル(42)との回動部（枢支軸(46c)）を回転軸としてこれを回転させる方向の力が加わり、アンダーアーム(46)が自動的に回転して使用位置に送り出される。
【００１３】
このように、本発明によれば、フロントパネル(42)を倒すだけでアッパーアーム(44)とアンダーアーム(46)が自動的に使用位置に送りだされ、フロントパネル(42)とアッパーアーム(44)とアンダーアーム(46)とで囲まれた携帯端末保持空間(Y)が形成されることとなる。
【００１４】
一方、携帯端末(M)を保持する必要がない場合は、フロントパネル(42)を起こして元通りの状態にすればよい。携帯端末保持部(14)を構成しているアッパーアーム(44)およびアンダーアーム(46)はフロントパネル(42)によって隠されて外から見えなくるなるので、すっきりとした外観のドリンクホルダー(10)とすることができる。
【００１５】
請求項２〜３に記載の発明によれば、アッパーアーム(44)の枢着部分とアッパーアーム(44)の取付基部(44a)の対向面に、アッパーアーム(44)の水平位置から下方位置までの回転を係脱又は摩擦制御する突起(32)と、突起(32)が押圧する係脱部(44g)又は摩擦部(44h)が形成されているので、アッパーアーム(44)を水平位置から手動でさらに押し下げることで、携帯端末(M)とアッパーアーム(44)のアーム部(44b)との間の隙間を小さくでき、携帯端末(M)をガタツキなく保持できる。
【図面の簡単な説明】
【００１６】
【図１】この発明にかかるドリンクホルダーにおいて、フロントパネルを閉じた状態を示す斜視図である。
【図２】この発明にかかるドリンクホルダーにおいて、フロントパネルを開いた状態を示す斜視図である。
【図３】ドリンクホルダーの分解斜視図である。
【図４】ドリンクホルダーの背面図である。
【図５】前側保持具を示す斜視図である。
【図６】アッパーアームとアンダーアームとが使用位置に送り出される原理を説明する図である。
【図７】アッパーアームとアンダーアームとが使用位置に送り出される原理を説明する要部拡大図である。
【図８】ドリンクホルダーの使用状態を示す図である。
【発明を実施するための形態】
【００１７】
以下、本発明を図面に従って説明する。図１〜４を参照して、本発明の適用されたドリンクホルダー(10)は、取付対象物（本実施例では車内のエアコン吹き出し口のルーバー）に取り付けて飲料容器(B)ならびに携帯端末(M)を保持できるように構成されたものであり、飲料容器収容部(12)と携帯端末保持部(14)とルーバー取付具(16)とを備えている。
【００１８】
飲料容器収容部(12)は、上面開口・下部有底の箱状部材であり、前側保持具(18)と後側保持具(20)とで構成されている。なお、飲料容器収容部(12)の中央に設けられた凹所が、飲料容器(B)を収容するための飲料容器収容凹部(X)である。
【００１９】
前側保持具(18)は、図３および図５からわかるように、前板(24)と、前板(24)の左右両側に設けられた左右一対の側板(26)と、前板(24)の底面に設けられた底板(28)とで構成されている。
【００２０】
前板(24)は、平板状の部材であり、その上端縁中央部分には、半円弧状の切り欠き(24a)が形成されている。
【００２１】
各側板(26)は、その後側下端部が切り欠かれた板状の部材で、その前端部が前板(24)よりも若干前方に張り出すようにして前板(24)の両側にそれぞれ一体的に取り付けられている。各側板(26)のうち、前板(24)よりも前方に張り出している張出部分（前端部分）(26a)の内側面下端部には枢着軸(30)が、前板(24)の幅方向に沿って延びるようにそれぞれ突設されており、この枢着軸(30)が後述するアッパーアーム(44)の軸孔(44c)ならびに携帯端末保持部(14)の軸孔(48a)に回動自在に嵌め込まれている。
【００２２】
また、各側板(26)の上記張出部分(26a)の内側面下端部であって、枢着軸(30)の付け根部分の下面側には、係脱用の小さい突起(32)が形成されている。枢着軸(30)の外面に取付基部(44a)が押圧する場合は後述する。
【００２３】
さらに、各側板(26)の前板(24)よりも後側の上端部端縁には、下向き開口のガイド溝(26b)が形成されている。
【００２４】
底板(28)は、左右一対のガイド部(28a)を有する後方に開口した略Ｕ字状の部材で（図５参照）、このガイド部(28a)が後述する後側保持具(20)の左右一対のガイド溝(38a)に前後方向にて且つ一定間隔で係脱可能にてスライド可能に挿入されている。
【００２５】
後側保持具(20)は、背板(34)と、背板(34)の左右両側に設けられた左右一対の側板(36)と、各側板(36)の下端部同士を接続する底板(38)とで構成されている。
【００２６】
背板(34)は、その中央部分が後方に湾曲した板状のもので、その背部の横長膨出部(34a)には、横長のスライド溝(34b)が形成されており（図４参照）、このスライド溝(34b)にルーバー取付具(16)の取付基部(16a)が着脱可能に取り付けられている。ルーバー取付具(16)は、取付基部(16a)と、取付基部(16a)から二股に分かれたクリップ部(16b)とで一体的に構成されており、クリップ部(16b)を取付対象物としてのエアコン吹き出し口のルーバーに挟みこむことによってドリンクホルダー(10)をエアコンの吹き出し口に固定できるようになっている。
【００２７】
底板(38)の上面には、左右一対のガイド溝(38a)が形成されており、このガイド溝(38a)に上述した前側保持具(18)の底板(28)に設けられた左右一対のガイド部(28a)が嵌り込んで、前後方向にて且つ一定間隔で係脱可能にてスライド可能となっている。
【００２８】
ガイド溝(38a)の上面には、幅方向に伸びる複数の突条(38b)が、その長手方向に所定間隔で形成されており、前側保持具(18)のガイド部(28a)の下面に設けられている突起（図示省略）がこの突条(38b)に嵌り込むことによってその前後方向の位置が保持される。即ち、前述のように係脱可能にてスライド可能となっているので、前側保持具(18)と後側保持具(20)との間隔を可変且つ保持できるようになっている。
【００２９】
また、底板(38)の下面には、スペーサー(40)が前後方向にて且つ一定間隔で係脱可能にてスライド可能に取り付けられている。構造的には前側保持具(18)と後側保持具(20)の場合と同じである。
【００３０】
側板(36)は、底板(38)の両側面から立ち上がった逆Ｌ字形のプレートで、前側保持具(18)の内側にて前側保持具(18)の背部から出没するように配設され、前側保持具(18)のガイド溝(26b)に側板(36)の上縁にスライド可能に嵌め込まれており、側板(36)の上縁に形成された複数個の係脱突起(36a)がガイド溝(26b)内の図示しない突起と係脱して、後側保持具(20)を上下で係脱可能にてスライド可能となるようにしている。
【００３１】
携帯端末保持部(14)は、フロントパネル(42)、左右一対のアッパーアーム(44)およびアンダーアーム(46)により構成されている。
【００３２】
フロントパネル(42)は、前板(24)の前面にて飲料容器収容部(12)の左右一対の側板(26)の張出部分（前端部分）(26a)の下端に起倒可能に取り付けられ、携帯端末保持部(14)の不使用時には、アッパーアーム(44)とアンダーアーム(46)の目隠しとして機能する板状部材で、その先端（自由端）側は、図１に示すようにフロントパネル(42)側に屈曲形成されている。なお、この屈曲部分が、後述するように、アンダーアーム(46)が回転したときにフロントパネル(42)に対して略直交する方向にて位置規制するストッパー(42a)として機能する。
【００３３】
フロントパネル(42)の基部（図３中、上端部）には、その左右両側に一対のアッパーアーム支持軸受部(48)がそれぞれ形成されており、その自由端側（図３中、下端部）には、その左右両側に一対のアンダーアーム支持軸受部(50)がそれぞれ形成されている。
【００３４】
各アッパーアーム支持軸受部(48)は、その中心に軸孔(48a)が形成された半円盤状の部材で、その外面の外周縁で、上部からフロントパネル(42)側にかけて円弧状の鍔(48b)が形成されている。鍔(48b)は、フロントパネル(42)の開操作（図１の状態から図２の状態にするためにフロントパネル(42)を倒す操作）をしたときに、アッパーアーム(44)に当接且つフロントパネル(42)の開操作に合わせてアッパーアーム(44)を押し、これを使用位置に送り出すためのもので、フロントパネル(42)の自由端側を図１に示す上方位置から図２に示す下方位置へと倒す途中、より詳しく言うと、フロントパネル(42)が略水平となるように倒したときに、後述するアッパーアーム(44)の取付基部(44a)に当接且つ前述のようにフロントパネル(42)に開操作に合わせてアッパーアーム(44)を押すように形成されている。
【００３５】
各アンダーアーム支持軸受部(50)の中心には、軸孔(50a)が形成されており、この軸孔(50a)に後述するアンダーアーム(46)の枢支軸(46c)が回動自在に嵌り込んでいる。
【００３６】
各アッパーアーム(44)は、円盤状の取付基部(44a)と、取付基部(44a)から略Ｌ字状に屈曲したアーム部(44b)とで一体的に構成されており、取付基部(44a)の中心には、軸孔(44c)が形成されている。取付基部(44a)の外側面（アーム部(44b)の反対側の面）(44f)には、枢着軸(30)の根元部分に設けられた突起(32)が嵌り込む円弧状溝(44d)が水平位置から下方に向けて凹設されており、更に円弧状溝(44d)の下方端に繋がるように円弧状の凹凸部(44g)（図７(a)参照）或いは摩擦部(44h)（図７(b)参照）が同一円弧上に形成されている。摩擦部(44h)は、円弧状溝(44d)からスロープを介して突起(32)側に膨出された平面で、突起(32)が所定の押圧力を以って接触する高さに形成されている。
【００３７】
そして、このように形成されている左右一対のアッパーアーム(44)が、フロントパネル(42)の基部に形成された左右一対のアッパーアーム支持軸受部(50)の外側にそれぞれ配置されており、各側板(26)の枢着軸(30)がアッパーアーム(44)の軸孔(44c)およびアッパーアーム支持軸受部(50)の軸孔(50a)にそれぞれ嵌り込んでいる。そして、前述のように枢着軸(30)の根元に設けられた突起(32)が円弧状溝(44d)に嵌り込んでいる。
【００３８】
アンダーアーム(46)は、その幅方向中央部分に切り欠き(46a)が設けられて略Ｕ字状に形成された板状の部材であり、その先端部(46b)は直角又はそれに近い角度（図３中、上方）に屈曲されている。したがって、図６に示すように、アンダーアーム(46)をフロントパネル(42)側へ回動させた時には、アンダーアーム(46)の先端側とフロントパネル(42)との間には屈曲部分の長さ分だけ隙間(S)が形成されることとなる。
【００３９】
また、アンダーアーム(46)の基部には、その左右両側に枢支軸(46c)がそれぞれ突設されており、各枢支軸(46c)がアンダーアーム支持軸受部(50)の軸孔(50a)に起倒自在に嵌り込んでいる。
【００４０】
なお、図２に示すように、フロントパネル(42)が下向きになっており、アッパーアーム(44)およびアンダーアーム(46)が水平方向になっているときに、フロントパネル(42)、アッパーアーム(44)ならびにアンダーアーム(46)で囲まれた空間が携帯端末(M)を保持する携帯端末保持空間(Y)として機能することとなる。
【００４１】
以上のように構成されているドリンクホルダー(10)の使用方法について、図６〜図８にしたがって説明する。ドリンクホルダー(10)を使用する際には、ルーバー取付具(16)のクリップ部(16b)を取付対象物としてのエアコン吹き出し口のルーバーに挟みこむ。これにより、ドリンクホルダー(10)をエアコンの吹き出し口に固定することができる。ドリンクホルダー(10)の取付角度は、飲料容器収容部(12)の後側保持具(20)に設けられ、エアコンの吹き出し口に当接しているスペーサー(40)を前後方向に移動させ、吹き出し口とドリンクホルダー(10)との間の間隙を調整することによって調整することができる。
【００４２】
飲料容器(B)を収容する際は、飲料容器収容部(12)の中央に設けられた飲料容器収容凹部(X)に収容することとなる。ここで、飲料容器収容凹部(X)の大きさは、後側保持具(20)に対する前側保持具(18)の引き出し量を調整することによって変更することができるので、加えて、側板(36)の係脱突起(36a)と側板(26)のガイド溝(26b)、及び底板(38)の突条(38b)と前側保持具(18)のガイド部(28a)の下面に設けられている突起（図示省略）との係脱作用により飲料容器(B)の大きさに合わせて飲料容器(B)をガタツキなく収容できる。
【００４３】
次に、携帯端末(M)を保持する方法について説明する。まず、携帯端末(M)を保持する必要がない場合は、図１に示すように、フロントパネル(42)を閉じた状態としておく。携帯端末保持部(14)のアッパーアーム(44)およびアンダーアーム(46)がフロントパネル(42)によって内側に隠されて外からは見えなくなるので、すっきりとした外観とすることができる。
【００４４】
携帯端末(M)を保持する必要が生じた場合は、図１の状態からフロントパネル(42)の上端部の半円弧状の切り欠き(24a)の所に指を引っ掛けてこれを手前に倒して図２の状態へと変形させればよい。
【００４５】
フロントパネル(42)が図１の状態から略水平位置まで倒れると、図６(B)および図７(B)に示すように、鍔(48b)が前板(24)に沿って立設しているアッパーアーム(44)の取付基部(44a)と当接する。フロントパネル(42)がさらに回転して下に倒れると、フロントパネル(42)の回転とともに鍔(48b)がアッパーアーム(44)の取付基部(44a)を押してフロントパネル(42)と一緒に水平に方向に回転させる。
【００４６】
そして、図２、図６(C)および図７(C)に示すように、フロントパネル(42)が一番下まで倒れて動きが止まると、アッパーアーム(44)もフロントパネル(42)に追随して動きが止まって水平状態となる。なお、この状態がアッパーアーム(44)の使用位置であり、フロントパネル(42)を手前に倒すだけでアッパーアーム(44)は自動的に使用位置へと送り出されることとなる。この間、フロントパネル(42)の枢着軸(30)も回転し、枢着軸(30)の根元に設けられている突起(32)が垂直に立設しているアッパーアーム(44)の円弧状溝(44d)内を通過して円弧状の凸凹部(44g)（或いは摩擦部(44h)）の直前に至る。
【００４７】
一方、アンダーアーム(46)は、フロントパネル(42)を手前に倒して図１の状態から図２の状態にするまでの間、その先端部(46b)はフロントパネル(42)と当接したままであるが、フロントパネル(42)が図２及び図６(C)に示すように一番下まで倒れると、自動的に使用位置へと送り出されることとなる。
【００４８】
すなわち、アンダーアーム(46)とフロントパネル(42)との間には、その先端部(46b)において隙間(S)が形成されているので、フロントパネル(42)が一番下まで倒れた状態では、アンダーアーム(46)は、図６(C)に示すように、フロントパネル(42)に対して傾斜した状態となり、アンダーアーム(46)の重心位置は、フロントパネル(42)との回動部（枢支軸(46c)）から手前（外側）にずれた位置となるので、アンダーアーム(46)は、その自重により、枢支軸(46c)を回転中心とする回転運動がはじまり、前方に自動的に倒れる。前方に自動的に倒れたアンダーアーム(46)は、フロントパネル(42)の先端の屈曲部分であるストッパー(42a)と当接して略水平となる位置にて支持され、アンダーアーム(46)が自動的に使用位置に送り出されることとなる。
【００４９】
このように、フロントパネル(42)、自動的に使用位置に送り出されたアッパーアーム(44)ならびにアンダーアーム(46)によって形成された空間が携帯端末保持空間(Y)として機能し、この携帯端末保持空間(Y)に携帯端末(M)を挿入して保持することができる。
【００５０】
携帯端末保持空間(Y)に携帯端末(M)を挿入して携帯端末(M)とアッパーアーム(44)との間に隙間がある場合、アッパーアーム(44)を指で下向きに押すと、アッパーアーム(44)はさらに下向きに回転し、図７(C)および図７(a)に示すように、下方に垂れ下がって固定されるフロントパネル(42)の円弧状溝(44d)内にて円弧状の凸凹部(44g)の直前に位置する枢着軸(30)の根元の突起(32)がアッパーアーム(44)の下向回転によって円弧状の凸凹部(44g)に入り（図７(a)参照）、円弧状の凸凹部(44g)に対して係脱を繰り返し、アッパーアーム(44)が携帯端末(M)に当接したところで円弧状の凸凹部(44g)に突起(32)が係合して携帯端末(M)を固定する。（凸凹部(44g)の代わりに摩擦部(44h)を設けた場合には、図７(b)に示すように突起(32)が摩擦部(44h)に対して所定の抵抗力を発揮してアッパーアーム(44)を携帯端末(M)を挟み付ける位置で停止保持することになる。）
【００５１】
このように、本実施例のドリンクホルダー(10)によれば、フロントパネル(42)を前に倒すだけで、ワンタッチで携帯端末保持空間(Y)を形成することができるので、運転をしながらの操作であっても、簡単に、携帯端末(M)を収容することができる。
【００５２】
また、携帯端末(M)の保持を必要としない場合は、フロントパネル(42)を起こせばよく、携帯端末支持部(14)であるアッパーアーム(44)とアンダーアーム(46)を簡単に隠すことができるので、携帯端末保持機能付きのドリンクホルダー(10)でありながら、携帯端末保持機能を備えることが一見してわからない、すっきりとした外観のドリンクホルダー(10)とすることができる。
【符号の説明】
【００５３】
１０…ドリンクホルダー、１２…飲料容器収容部、１４…携帯端末保持部、、１６…ルーバー取付具、１６ａ…取付基部、１６ｂ…クリップ部、１８…前側保持具、２０…後側保持具、２４…前板、２４ａ…切り欠き、２６…側板、２６ａ…張出部分（前端部分）、２６ｂ…ガイド溝、２８…底板、２８ａ…ガイド部、３０…枢着軸、３２…突起、３４…背板、３４ａ…横長膨出部、３４ｂ…スライド溝、３６…側板、３６ａ…係脱突起、３８…底板、３８ａ …ガイド溝、３８ｂ …突条、４０…スペーサー、４２…フロントパネル、４２ａ…ストッパー、４４…アッパーアーム、４４ａ…取付基部、４４ｂ…アーム部、４４ｃ…軸孔、４４ｄ…円弧状溝、４４ｆ…アーム部の外側面、４４ｇ…凹凸部、４４ｈ…摩擦部、４６…アンダーアーム、４６ａ…上端部分、４６ｂ…先端部、４６ｃ…枢支軸、４６ｄ…切り欠き、４６ｃ…枢着軸、４８…アッパーアーム支持軸受部、４８ａ…軸孔、４８ｂ…鍔、５０…アンダーアーム支持軸受部、５０ａ…軸孔、Ｂ…飲料容器、Ｍ…携帯端末、Ｓ…隙間、Ｘ…飲料容器収容凹部、Ｙ…携帯端末保持空間
【図１】
2014151800.tif 000003
【図２】
2014151800.tif 000004
【図３】
2014151800.tif 000005
【図４】
2014151800.tif 000006
【図５】
2014151800.tif 000007
【図６】
2014151800.tif 000008
【図７】
2014151800.tif 000009
【図８】
2014151800.tif 000010